(57)【要約】【課題】蓄電素子群の電極面に占めるスペースを小さくすることができる配線モジュール。【解決手段】正極及び負極の電極端子が設けられた電極面を有する蓄電素子を複数並べてなる蓄電素子群に取り付けられる配線モジュールであって、前記電極端子間を電気的に接続する複数のバスバーと、前記蓄電素子の状態を検知する電線と、前記バスバーを収容するバスバー収容部および前記電線を収容する電線収容溝を有する絶縁プロテクタと、を備えたものにおいて、前記電線収容溝は、前記バスバー収容部のうち前記電極面と反対側の面の少なくとも一部を覆っている。【選択図】図８
2018174052.tif 000002
【特許請求の範囲】
【請求項１】
正極及び負極の電極端子が設けられた電極面を有する蓄電素子を複数並べてなる蓄電素子群に取り付けられる配線モジュールであって、
前記電極端子間を電気的に接続する複数のバスバーと、
前記蓄電素子の状態を検知する電線と、
前記バスバーを収容するバスバー収容部および前記電線を収容する電線収容溝を有する絶縁プロテクタと、を備えたものにおいて、
前記電線収容溝は、前記バスバー収容部のうち前記電極面と反対側の面の少なくとも一部を覆っている配線モジュール。
【請求項２】
前記電線収容溝は前記バスバー収容部にヒンジを介して一体的に設けられており、前記バスバー収容部の少なくとも一部を覆う被覆状態と、前記バスバー収容部を開放する開放状態との間で回動可能とされている請求項１に記載の配線モジュール。
【請求項３】
前記電線収容溝は前記バスバー収容部の少なくとも一部を覆った被覆状態において、その開口が前記電極面と反対側に配されている請求項１または請求項２に記載の配線モジュール。
【請求項４】
前記電線収容溝に当該電線収容溝の延び方向と交差する交差方向に前記電線を迂回させる余長吸収部が設けられている請求項１ないし請求項３のいずれか一項に記載の配線モジュール。
【請求項５】
前記余長吸収部は、前記電線収容溝から前記交差方向に延出された溝状をなしており、前記溝の底壁に、当該底壁を切り起こすとともに前記電線収容溝の反対側に向けて屈曲された状態の電線引掛部が設けられている請求項４に記載の配線モジュール。
【請求項６】
前記バスバー収容部は前記バスバーの周囲を取り囲む周壁を有しており、前記周壁に前記電線収容溝を逃がす逃がし部が設けられている請求項１ないし請求項５のいずれか一項に記載の配線モジュール。
【請求項７】
前記電線収容溝のうち前記バスバーに対向する面には、前記バスバーに向けて延びる抜止突部が設けられている請求項１ないし請求項６のいずれか一項に記載の配線モジュール。
【請求項８】
前記バスバーの前記蓄電素子との接続部が外部に露出されている請求項１ないし請求項７のいずれか一項に記載の配線モジュール。
【請求項９】
前記電線収容溝の開口の少なくとも一部を覆う溝カバーが設けられている請求項１ないし請求項８のいずれか一項に記載の配線モジュール。
【請求項１０】
前記バスバーには前記蓄電素子の並び方向において伸縮可能なバスバー側公差吸収部が設けられている請求項１ないし請求項９のいずれか一項に記載の配線モジュール。
【請求項１１】
前記絶縁プロテクタには前記蓄電素子の並び方向と交差する方向において公差吸収可能なプロテクタ側公差吸収部が設けられている請求項１ないし請求項１０のいずれか一項に記載の配線モジュール。
【発明の詳細な説明】
【技術分野】
【０００１】
本明細書に開示される技術は、配線モジュールに関する。
【背景技術】
【０００２】
電気自動車やハイブリッド車用の電池モジュールにおいては、正極および負極の電極端子が設けられた電極面を有する複数の単電池が並んで配置されている。このような電池モジュールにおいては、隣り合う正極の電極端子（正極端子）および負極の電極端子（負極端子）がバスバーによって接続されることにより、複数の単電池が電気的に接続されるようになっている。バスバーには、単電池の状態を検知するための電線が接続される。
【０００３】
複数の単電池を接続するために、例えば絶縁性の保持部材（絶縁プロテクタ）に複数のバスバーや電線を一括に保持した配線モジュールが用いられる。この種の配線モジュールでは、バスバーを収容するバスバー収容部と電線を配索する電線配索部とが、電極面上に並んで配されるようになっている。
【先行技術文献】
【特許文献】
【０００４】
【特許文献１】特開２０１１−２３８４６９号公報
【発明の概要】
【発明が解決しようとする課題】
【０００５】
ところで、上述したような保持部材は電線配索部がバスバー収容部に併設して設けられているため、電池上面において広いスペースを要するという問題があった。
【０００６】
本明細書に開示される技術は上記のような事情に基づいて完成されたものであって、蓄電素子群の電極面に占めるスペースを小さくすることができる配線モジュールを提供することを目的とする。
【課題を解決するための手段】
【０００７】
本明細書に開示される技術は、正極及び負極の電極端子が設けられた電極面を有する蓄電素子を複数並べてなる蓄電素子群に取り付けられる配線モジュールであって、前記電極端子間を電気的に接続する複数のバスバーと、前記蓄電素子の状態を検知する電線と、前記バスバーを収容するバスバー収容部および前記電線を収容する電線収容溝を有する絶縁プロテクタと、を備えたものにおいて、前記電線収容溝は、前記バスバー収容部のうち前記電極面と反対側の面の少なくとも一部を覆っている。
【０００８】
このような構成によれば、電極面において従来要していた電線収容溝のスペースが不要となるから、空いたスペースを有効活用することができる。また電線収容溝はバスバー収容部の少なくとも一部を覆っているので、カバーと同様の役割を果たすことができる。
【０００９】
上記配線モジュールは、以下の構成を備えていてもよい。
【００１０】
電線収容溝はバスバー収容部にヒンジを介して一体的に設けられており、バスバー収容部の少なくとも一部を覆う被覆状態と、バスバー収容部を開放する開放状態との間で回動可能とされている構成としてもよい。
【００１１】
このような構成によれば、開放された状態のバスバー収容部にバスバーを収容した後に、電線収容溝を回動操作してバスバー収容部を覆う被覆状態することにより、バスバー収容部と電線収容溝とを電極面に対して重なるように配することができる。
【００１２】
電線収容溝はバスバー収容部の少なくとも一部を覆った被覆状態において、その開口が電極面と反対側に配されていてもよい。
【００１３】
このような構成によれば、バスバー収容部と電線収容溝とが重ねられた状態にあっても、電線とバスバーとは電線収容溝の一部（底壁）により隔離されているから、確実に絶縁状態とすることができる。
【００１４】
電線収容溝に当該電線収容溝の延び方向と交差する方向に電線を迂回させる余長吸収部が設けられていてもよい。
【００１５】
このような構成によれば、電線に余長が生じた場合でも、電線がその余長により電線収容溝からはみ出すことが抑制される。
【００１６】
余長吸収部は、電線収容溝から交差方向に延出された溝状をなしており、溝の底壁に、当該底壁を切り起こすとともに電線収容溝の反対側に向けて屈曲された状態の電線引掛部が設けられていてもよい。
【００１７】
このような構成によれば、余長吸収部に収容された電線が例えば外力等により引っ張られた場合でも、余長吸収部から引っ張り出されることが抑制される。
【００１８】
バスバー収容部はバスバーの周囲を取り囲む周壁を有しており、周壁に電線収容溝を逃がす逃がし部が設けられていてもよい。
【００１９】
このような構成によれば、必要な箇所において周壁の高さ寸法を充分に確保することにより、例えば接続作業時等における隣り合うバスバーとの短絡を抑制することができる上、被覆状態の電線収容溝が逃がし部により逃がされることにより、バスバー収容部と電線収容溝とが重なっている領域の高さ寸法を抑制することができる。すなわち、高さ方向における小型化（低背化）が実現できる。
【００２０】
電線収容溝のうちバスバーに対向する面には、バスバーに向けて延びる抜止突部が設けられていてもよい。
【００２１】
このような構成によれば、被覆状態においてバスバーは抜止突部により抜け止めされるようになっているから、バスバーの抜け止め機構を新たに設ける必要がなく、構成が簡素化される。
【００２２】
バスバーの蓄電素子との接続部が外部に露出されていてもよい。このような構成によれば、被覆状態のままバスバーと蓄電素子との接続作業を行うことができる。
【００２３】
電線収容溝の開口の少なくとも一部を覆う溝カバーが設けられていてもよい。このような構成によれば、電線が電線収容溝をからはみ出すことが溝カバーにより抑制される。
【００２４】
バスバーには蓄電素子の並び方向において伸縮可能なバスバー側公差吸収部が設けられていてもよい。
【００２５】
また、絶縁プロテクタに蓄電素子の並び方向と交差する方向において公差吸収可能なプロテクタ側公差吸収部が設けられていてもよい。
【００２６】
これらの構成によれば、配線モジュールの製造公差や組付公差をこれらの公差吸収部により吸収することができるから、接続作業が容易である上に、接続状態を安定させることができる。
【発明の効果】
【００２７】
本明細書に開示される技術によれば、蓄電素子群の電極面に占めるスペースが小さい配線モジュールが得られる。
【図面の簡単な説明】
【００２８】
【図１】一実施形態の電池モジュールの斜視図
【図２】図１の一部拡大斜視図
【図３】電池モジュールの一部拡大平面図
【図４】電池モジュールの正面図
【図５】図３のＡ−Ａ断面図
【図６】図３のＢ−Ｂ断面図
【図７】電池モジュールの側面図
【図８】図３のＣ−Ｃ断面図
【図９】図３のＤ−Ｄ断面図
【図１０】絶縁プロテクタの一部拡大斜視図
【図１１】絶縁プロテクタにバスバーおよび電線を収容する過程を示す一部拡大斜視図
【図１２】絶縁プロテクタにバスバーおよび電線が収容された状態（開放状態）を示す一部拡大斜視図
【図１３】バスバー収容部を電線収容溝により被覆した状態（被覆状態）を示す一部拡大斜視図
【図１４】溝カバーを閉じた状態（完成状態）を示す一部拡大斜視図
【発明を実施するための形態】
【００２９】
本明細書に記載の配線モジュール２０を電池モジュールＭに適用した一実施形態を、図１ないし図１４を参照しつつ説明する。
【００３０】
本実施形態に係る電池モジュールＭは、電気自動車又はハイブリッド自動車等の車両（図示せず）に搭載されて、車両を駆動するための電源として使用される。電池モジュールＭは、図１に示すように、単電池１１（蓄電素子の一例）を複数並べてなる単電池群１０（蓄電素子群の一例）と、単電池群１０に取り付けられた配線モジュール２０と、を備える。配線モジュール２０は、バスバー２１と電線６０とを絶縁プロテクタ３０に収容してなる。
【００３１】
以下の説明において、図１における左下を前方とし、右上を後方（奥方）とする。また、図１における上側を上方とし、下側を下方とする。また、複数の同一部材については、一の部材に符号を付し、他の部材については符号を省略することがある。
【００３２】
（単電池１１）
図１に示すように、単電池１１は扁平な略直方体形状をなしている。単電池１１の内部には図示しない発電要素が収容されている。単電池１１の上面は電極面１１Ａとされており、長尺方向の両端部寄りの位置に、一対の電極端子１２Ａ，１２Ｂが設けられている。一対の電極端子１２Ａ，１２Ｂの一方は正極端子であり、他方は負極端子である。正極端子を構成する電極端子１２Ａと、負極端子を構成する電極端子１２Ｂとは同形、同大である。電極端子１２は、図２に示すように、金属製の端子台１３から上方に向かって丸棒状に突出する電極ポスト１４を備え、その電極ポスト１４の外面にはねじ山（図示せず）が形成されている。電極ポスト１４は端子台１３の一方寄り（単電池１１の側縁寄り）に設けられている。複数の単電池１１は、隣り合う電極端子１２が異なる極性となるように並べられ、単電池群１０を構成している。隣り合う単電池１１は、バスバー２１により電気的に接続される。
【００３３】
（バスバー２１）
バスバー２１は、銅、銅合金、ステンレス鋼（ＳＵＳ）、アルミニウム等からなる金属製の板材を所定の形状にプレス加工することにより形成され、図１１に示すように、略長方形状の板状をなしている。バスバー２１には、長尺方向の両端寄り、かつ、短尺方向一端寄りに、単電池１１の正極および負極の電極端子１２の電極ポスト１４が挿通される一対の端子貫通孔２２が、板面を貫通して形成されている。これらの端子貫通孔２２の一方側は、電極ポスト１４の径よりも僅かに大きい内径を有する円形状をなしており（第１貫通孔２２Ａとする）、他方側は、バスバー２１の長尺方向に延びる長孔状をなしている（第２貫通孔２２Ｂとする）。
【００３４】
端子貫通孔２２内に電極ポスト１４が貫通された状態でナット（図示せず）が螺合されて、ナットと端子台１３との間にバスバー２１が挟まれることにより、電極端子１２とバスバー２１とが電気的に接続されるようになっている。
【００３５】
以下、バスバー２１のうち、第１貫通孔２２Ａが設けられた領域を第１領域２３Ａとし、第２貫通孔２２Ｂが設けられた領域を第２領域２３Ｂとして説明する。
【００３６】
第１領域２３Ａおよび第２領域２３Ｂの間には、バスバー側公差吸収部２４が形成されている。バスバー側公差吸収部２４は、バスバー２１の長尺方向の中央部において板幅をやや小さい寸法とするとともに、短尺方向に沿って一方側（図１１の上方側）に立ち上がる一対の山部２５を設けることにより、長尺方向において伸縮可能に形成されている。
【００３７】
また、第１領域２３Ａの一対の角部のうち、第１貫通孔２２Ａから遠い方の角部には、短尺方向に沿って延びる電線保持片２６が延設されている。電線保持片２６は、その延び方向に沿って折り返すことにより、バスバー２１の表面に接続された検知端子６１の電線６０を保持するものである。
【００３８】
なお、バスバー２１の表面には、スズ、ニッケル等の金属がメッキされていてもよい。
【００３９】
（絶縁プロテクタ３０）
本実施形態の絶縁プロテクタ３０は、例えば図１０ないし図１４に示すように、上下方向に開口すると共にバスバー２１を内側に収容する複数のバスバー収容部３１と、各バスバー収容部３１と個々に連結されるとともに電線６０を内側に収容する複数の電線収容溝４１と、を備えている。
【００４０】
以下、バスバー収容部３１の略四角筒状の周壁３２のうち、長尺方向に延びる一対の壁部を内側壁部３２Ａおよび外側壁部３２Ｂとする。内側壁部３２Ａは、配線モジュール２０が単電池群１０に装着された状態において単電池群１０の内側に配される壁部であり、外側壁部３２Ｂは、外側（縁部側）に配される壁部である。また、短尺方向に延びる一対の壁部の一方側を第１側壁３２Ｃ、他方側を第２側壁３２Ｄとする。上述したバスバー２１は、第１領域２３Ａが第１側壁３２Ｃ側とされ、第２領域２３Ｂが第２側壁３２Ｄ側となるように収容される。
【００４１】
複数のバスバー収容部３１は、単電池１１の並び方向Ｘ（隣り合う電極端子１２の並び方向Ｘと同方向）に沿うように配されている。一のバスバー収容部３１の周壁３２のうち外側壁部３２Ｂは、その中央部が内側に向けて凹状に窪んでおり、その凹状とされた部分の外面に、外側に向けて立ち上がって上下方向に貫通し、後述する第１係止片４５を挿通させる第１受け部３３が設けられている。第１受け部３３の下端円は略矩形に切り欠かれた第１被係止部３３Ａとされており、この第１被係止部３３Ａに後述する第１係止片４５の第１係止爪４５Ａが係止するようになっている。
【００４２】
一のバスバー収容部３１の周壁３２のうち、第１側壁３２Ｃおよび第２側壁３２Ｄの下端縁には、内側に向けてわずかに突出する側縁載置部３４が設けられている。また、一のバスバー収容部３１の長尺方向における中央部には、内側壁部３２Ａおよび外側壁部３２Ｂの下端縁を架け渡すように延びる一対の角棒状の中間支持部３５が設けられている。これら一対の中間支持部３５間の距離は、上述したバスバー２１の一対の山部２５間の距離とほぼ同等寸法となるように設定されている。バスバー２１はバスバー収容部３１に収容された状態において、これら一対の側縁載置部３４および一対の中間支持部３５により下方側から支持されるようになっている（図５参照）。
【００４３】
また、第１側壁３２Ｃおよび第２側壁３２Ｄのうち内側壁部３２Ａ側かつ上側の角部はともに矩形に大きく切り欠かれて段差状とされているとともに、内側壁部３２Ａの高さ寸法はこれらの段差状とされた部分の高さ寸法と同等とされており、後述する電線収容溝４１が被覆状態とされた際に、当該電線収容溝４１を逃がす逃がし部３６とされている。また、第１側壁３２Ｃの逃がし部３６の縁部には、凹状に切り欠かれて電線６０を通すための電線通し部３７が設けられている。
【００４４】
さらに、内側壁部３２Ａのうち第１側壁３２Ｃ側の端部付近には、バスバー収容部３１の内側に向けて突出してバスバー２１の電線保持片２６の開きを規制する規制突部３８が設けられている。
【００４５】
複数のバスバー収容部３１は、隣り合うバスバー収容部３１と一対の連結部３９（プロテクタ側公差吸収部の一例）により連結されている。一対の連結部３９は、隣り合うバスバー収容部３１の周壁３２のうち互いに対向配置される角部の下端部同士を連結しており、一対の内側壁部３２Ａに連なる内側連結部３９Ａは外側に向けてＵ字形状に湾曲されるとともに、一対の外側壁部３２Ｂに連なる外側連結部３９Ｂは内側に向けてＵ字形状に湾曲された形態をなしている。これにより、これらの内側連結部３９Ａおよび外側連結部３９Ｂは、単電池１１の並び方向Ｘ、および並び方向Ｘと交差する様々な方向（高さ方向や図３における上下方向等）において公差吸収可能な状態とされている。
【００４６】
個々のバスバー収容部３１（周壁３２）には、上述した電線収容溝４１がヒンジ４０を介して一体に設けられている。ヒンジ４０は、一のバスバー収容部３１の内側壁部３２Ａの上端かつ中央部に設けられている。電線収容溝４１はヒンジ４０により、バスバー収容部３１の一部を覆う被覆状態と、バスバー収容部３１全体を開放する開放状態との間で開閉回動可能とされている。
【００４７】
電線収容溝４１は、バスバー収容部３１の長尺方向に沿って延びる断面コ字型の溝形状をなしており、対向配置された一対の第１溝壁４１Ａおよび第２溝壁４１Ｂと、底壁４１Ｃとから構成されている。上述したヒンジ４０は、第１溝壁４１Ａの延び方向Ｘ（単電池の並び方向Ｘと同方向）における中央部、かつ、下端部に一体に連結されており、電線収容溝４１がバスバー収容部３１と並んで配された際には、電線収容溝４１の開口４１Ｄが下方に配される（下方に向けて開放される向き）に連結されている。
【００４８】
電線収容溝４１の第２溝壁４１Ｂうち、その延び方向Ｘにおける中央部には、第１溝壁４１Ａとは反対側（延び方向Ｘと交差する交差方向の一例、以下延出方向Ｙとする）に向けて延びる延出部４２（余長吸収部の一例）が設けられている。すなわち、電線収容溝４１と延出部４２とは、略Ｔ字形状に連なっている。
【００４９】
延出部４２は、電線収容溝４１の底壁４１Ｃと面一に連なる延出底壁４２Ｃと、電線収容溝４１の第２溝壁４１Ｂと同等の高さとされて当該第２溝壁４１Ｂに連なる一対の延出溝壁４２Ａ，４２Ｂとを有する断面コ字型の溝形状をなしている。延出部４２は、第２溝壁４１Ｂの一部が切り欠かれることにより、電線収容溝４１と内側が連なっている。一方、その延出方向Ｙにおける先端部は閉じ壁４３により閉じられている（図９参照）。
【００５０】
延出部４２の基端寄りの位置には、延出底壁４２Ｃを延出溝壁４２Ａ，４２Ｂと同方向に切り起こすとともに延出方向Ｙの先端側（電線収容溝４１の反対側）に向けてＬ字形状に屈曲させた形態の電線引掛部４４が設けられている。また、閉じ壁４３のうち開放側の端縁部（図９の上端縁）からは、延出方向Ｙに向けて延出されるとともに延出底壁４２Ｃ側に向けてＬ字形状に屈曲された第１係止片４５が設けられている。この第１係止片４５の先端部には外側に向けて突出する第１係止爪４５Ａが形成されており、電線収容溝４１とともに延出部４２が被覆状態とされた場合に、第１係止片４５が上述した第１受け部３３に挿通されるとともに、第１係止爪４５Ａが第１被係止部３３Ａに係止するように設定されている。
【００５１】
また、第２溝壁４１Ｂには、延出部４２を挟んだ両側に、一対の溝カバー５１が設けられている（図１３および図１４参照）。一対の溝カバー５１は電線収容溝４１の幅寸法とほぼ同等の長さ寸法を有する板状とされており、第２溝壁４１Ｂの開口４１Ｄ側の端縁部に第２ヒンジ５０を介して一体に設けられている。溝カバー５１の先端には、Ｌ字形状に屈曲された第２係止片５２が設けられるとともに、この第２係止片５２の外側には第２係止爪５２Ａが突出して設けられている。
【００５２】
一方、電線収容溝４１の第１溝壁４１Ａの外面側には、外側に向けて立ち上がって上下方向に貫通し、第２係止片５２を挿通させる第２受け部４６が設けられている。第２受け部４６の下端縁は略矩形に切り欠かれた第２被係止部４６Ａとされており、この第２被係止部４６Ａに第１係止片４５の第１係止爪４５Ａが係止するようになっている（図８参照）。
【００５３】
電線収容溝４１の底壁４１Ｃの外面、すなわち、被覆状態においてバスバー２１に対向する面には、電線収容溝４１の延び方向Ｘと交差する方向（延出方向Ｙと同方向）に延びるとともに外側に突出する抜止突部４７が設けられている（図１０参照）。抜止突部４７は、電線収容溝４１の延び方向Ｘにおいて、一対の溝カバー５１と対応する位置に設けられている。
【００５４】
さらに電線収容溝４１の底壁４１Ｃには、被覆状態における電線収容溝４１の、バスバー２１の電線保持片２６に対応する位置に、電線保持片２６との干渉を回避するための膨出部４８が、溝内に膨出するように設けられている（図６および図８参照）。
【００５５】
本実施形態の配線モジュール２０は上記の構成であって、次に、組み立て方法について説明する。
【００５６】
まず、各バスバー２１に対して予め検知端子６１をレーザー溶接により接続するとともに、電線保持片２６を折り返して電線６０を保持させる。
【００５７】
次に、図１１に示すように、開放状態（ヒンジ４０が延びた状態）の絶縁プロテクタ３０の各バスバー収容部３１に、上述した状態のバスバー２１を上方から収容する。この時、絶縁プロテクタ３０からの電線６０の引出方向に配されたバスバー収容部３１（図１１中右側）から順に、バスバー２１を収容する。
【００５８】
バスバー２１はバスバー収容部３１に収容された状態において、バスバー側公差吸収部２４の一対の山部２５の下面が中間支持部３５に載置されるとともに、一対の端縁部が側縁載置部３４に載置されることにより、下方側から支持される（図５参照）。
【００５９】
この時、収容されたバスバー２１に接続された電線６０は、第１側壁３２Ｃの電線通し部３７に通すように配索しておく（図１２参照）。また、電線通し部３７から引き出された電線６０は、引き出し方向に隣接するバスバー収容部３１内で適切な長さ湾曲（迂回）させた後、引き出し方向に延ばしておく。
【００６０】
全てのバスバー２１がバスバー収容部３１に収容されるとともに電線６０が引き出し方向に延ばされたら、次に電線６０を軽く持ち上げ、電線６０の下方において電線収容溝４１をヒンジ４０を中心に回動させて、バスバー収容部３１の一部を覆った被覆状態とする。そして、開口４１Ｄが上向き（電極面１１Ａと反対側）となった電線収容溝４１内に、電線６０を配索する（図１３参照）。
【００６１】
この時、図中左側に隣接するバスバー収容部３１から引き出されて湾曲された電線６０を、一旦第２領域２３Ｂに隣接する電線収容溝４１内に通した後、延出部４２内に引き入れ、電線引掛部４４に引っ掛ける。そしてその後第１領域２３Ａに隣接する電線収容溝４１内に引き戻すようにする。
【００６２】
このように電線収容溝４１がバスバー収容部３１を覆った被覆状態においては、第１係止片４５が第１受け部３３に挿通されるとともに、第１係止爪４５Ａが第１被係止部３３Ａに係止している（図９参照）。また、電線収容溝４１の底壁４１Ｃに設けられた抜止突部４７がバスバー２１の僅かに上方に配され、バスバー２１のバスバー収容部３１からの上方側への抜け止めがなされる（図６参照）。
【００６３】
最後に、溝カバー５１を第２ヒンジ５０を中心に回動させて、電線収容溝４１の一部を覆った状態に閉じる（図１４参照）。溝カバー５１が閉じられた状態においては、図８に示すように、第２係止片５２が第２受け部４６に挿通されるとともに、第２係止爪５２Ａが第２被係止部４６Ａに係止している。
【００６４】
このようにして、本実施形態の配線モジュール２０が完成する。
【００６５】
次に、このようにして組み立てられた配線モジュール２０を単電池群１０の電極面１１Ａ上に配し、バスバー２１と単電池群１０とを接続する。すなわち、電極端子１２の電極ポスト１４をバスバー２１の端子貫通孔２２に貫通させ、図示しないナットを締結して、バスバー２１と電極端子１２とを電気的に接続する。
【００６６】
この時、上述したようにバスバー２１にはバスバー側公差吸収部２４が設けられている上、一対の端子貫通孔２２のうち一方側（第２貫通孔２２Ｂ）は長孔状とされているから、単電池群１０や配線モジュール２０に製造公差や組み付け公差が生じている場合でも、それらの公差を吸収することができる。
【００６７】
さらに、隣り合うバスバー収容部３１間も連結部３９が公差吸収可能とされているから、これによっても、公差を吸収することができる。
【００６８】
これにより、本実施形態の電池モジュールＭが完成する。
【００６９】
上述した本実施形態の配線モジュール２０によれば、電線収容溝４１はバスバー収容部３１のうち電極面１１Ａと反対側の面の一部を覆っている。従って、電極面１１Ａにおいて従来要していた電線収容溝用のスペースが不要となり、配線モジュール２０の電極面１１Ａに占めるスペースが小さくなるから、空いたスペースを有効活用することができる。また、電線収容溝４１はバスバー収容部３１に対してカバーと同様の役割を果たすことができる。
【００７０】
また本実施形態の配線モジュール２０によれば、電線収容溝４１はバスバー収容部３１にヒンジ４０を介して一体的に設けられており、バスバー収容部３１の一部を覆う被覆状態と、バスバー収容部３１を開放する開放状態との間で回動可能とされている。
【００７１】
このような構成によれば、開放された状態のバスバー収容部３１にバスバー２１を収容した後に、電線収容溝４１を回動操作してバスバー収容部３１を覆う被覆状態することにより、バスバー収容部３１と電線収容溝４１とを単電池群１０の電極面１１Ａに対して重なるように配することができる。
【００７２】
また電線収容溝４１は、被覆状態においてその開口４１Ｄが上方（電極面１１Ａと反対側）に配されているから、バスバー収容部３１と電線収容溝４１とが重ねられた状態にあっても、電線６０とバスバー２１とは電線収容溝４１の底壁４１Ｃにより隔離されている。従って、電線６０とバスバー２１とを確実に絶縁状態とすることができる。
【００７３】
また、電線収容溝４１に電線６０を迂回させる延出部４２が設けられているから、電線６０に余長が生じた場合でも、電線６０がその余長により電線収容溝４１からはみ出すことが抑制される。しかも、延出部４２には電線引掛部４４が設けられているから、電線６０が例えば外力等により引っ張られた場合でも、延出部４２から引っ張り出されることが抑制される。
【００７４】
また、バスバー収容部３１の周壁３２に、被覆状態の電線収容溝４１を逃がす逃がし部３６が設けられているから、接続部（端子貫通孔２２）の周辺において周壁３２の高さ寸法を充分に確保することにより、接続作業時等に隣り合うバスバー２１との短絡等を抑制することができる上、被覆状態の電線収容溝４１が逃がし部３６により逃がされることにより、バスバー収容部３１と電線収容溝４１とが重なっている領域の高さ寸法を抑制することができる。すなわち、高さ方向における小型化（低背化）が実現できる。
【００７５】
また、電線収容溝４１の底壁４１Ｃの外面（被覆状態においてバスバー２１に対向する面）には、バスバー２１に向けて延びる抜止突部４７が設けられているから、バスバー２１は抜止突部４７により抜け止めされる。従って、バスバー２１の抜け止め機構を新たに設ける必要がなく、構成が簡素化される。
【００７６】
また、被覆状態において、バスバー２１の端子貫通孔２２が外部に露出されているから、被覆状態のままバスバー２１と単電池１１との接続作業を行うことができる。
【００７７】
また、電線収容溝４１の開口４１Ｄの一部を覆う溝カバー５１が設けられているから、電線６０が電線収容溝４１からはみ出すことが抑制される。
【００７８】
さらに、バスバー２１には単電池１１の並び方向Ｘにおいて伸縮可能なバスバー側公差吸収部２４が設けられているとともに、絶縁プロテクタ３０に同並び方向Ｘと交差する方向において公差吸収可能な連結部３９が設けられているから、配線モジュール２０の製造公差や組付公差をこれらの公差吸収部２４，３９により吸収することができる。すなわち、接続作業が容易である上に、接続状態を安定させることができる。
【００７９】
＜他の実施形態＞
本明細書に開示される技術は上記記述及び図面によって説明した実施形態に限定されるものではなく、例えば次のような実施形態も技術的範囲に含まれる。
【００８０】
（１）上記実施形態では、電線収容溝４１は被覆状態においてその開口４１Ｄが上方（電極面１１Ａと反対側）を向く構成としたが、被覆状態においてその開口が下方を向くようにしてもよい。
【００８１】
（２）延出部４２や電線引掛部４４は省略してもよい。
【００８２】
（３）上記実施形態では、周壁３２に逃がし部３６を設ける構成としたが、逃がし部を省略し、単に同等高さとされた周壁に電線収容溝を重ね合わせる構成としてもよい。
【００８３】
（４）上記実施形態では、バスバー２１の抜け止めは電線収容溝４１に設けた抜止突部４７により行う構成としたが、これとは異なる抜け止め機構を設けてもよい。
【００８４】
（５）上記実施形態では、被覆状態においてバスバー２１の単電池１１との接続部（端子貫通孔２２）付近を露出させる構成としたが、必ずしも露出させなくてよい。
【００８５】
（６）溝カバー５１を省略し、例えば抜け止め片等を設ける構成としてもよい。
【００８６】
（７）バスバー側公差吸収部２４や連結部３９（プロテクタ側公差吸収部）は省略してもよい。
【００８７】
（８）上記実施形態では、電線６０をバスバー２１に直接接続する構成を示したが、例えば電線を接続した検知端子をバスバーに重ね合わせて間接的に接続する構成としてもよい。
【００８８】
（９）上記実施形態では、電線収容溝４１はヒンジ４０を介してバスバー収容部３１に一体に設ける構成としたが、電線収容溝とバスバー収容部とは別体としてもよい。
【００８９】
（１０）または、電線収容溝とバスバー収容部とを予め重ね合わせた状態で形成するとともにバスバー挿入用の開口を別途形成し、バスバーをバスバー挿入用の開口からバスバー収容部内に収容する構成としてもよい。
【００９０】
（１１）上記実施形態では、バスバー収容部３１の一部を電線収容溝４１により覆う構成としたが、全体を覆う構成としてもよい。
【符号の説明】
【００９１】
１０：単電池群（蓄電素子群）
１１：単電池（蓄電素子）
１１Ａ：電極面
１２：電極端子
１２Ａ：正極
１２Ｂ：負極
２０：配線モジュール
２１：バスバー
２２：端子貫通孔（接続部）
２４：バスバー側公差吸収部
３０：絶縁プロテクタ
３１：バスバー収容部
３２：周壁
３６：逃がし部
３９：連結部（プロテクタ側公差吸収部）
４０：ヒンジ
４１：電線収容溝
４１Ｃ：底壁（バスバーに対向する面）
４１Ｄ：開口
４２：延出部（余長吸収部）
４２Ｃ：延出底壁（底壁）
４４：電線引掛部
４７：抜止突部
５０：第２ヒンジ
５１：溝カバー
６０：電線
Ｘ：電線収容溝の延び方向および蓄電素子の並び方向
Ｙ：延出方向（電線収容溝の延び方向と交差する交差方向）
【図１】
2018174052.tif 000003
【図２】
2018174052.tif 000004
【図３】
2018174052.tif 000005
【図４】
2018174052.tif 000006
【図５】
2018174052.tif 000007
【図６】
2018174052.tif 000008
【図７】
2018174052.tif 000009
【図８】
2018174052.tif 000010
【図９】
2018174052.tif 000011
【図１０】
2018174052.tif 000012
【図１１】
2018174052.tif 000013
【図１２】
2018174052.tif 000014
【図１３】
2018174052.tif 000015
【図１４】
2018174052.tif 000016